【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
画像表示装置の画面の測定位置における光学特性を測定する測定手段と、
前記測定位置における光学特性と、前記画面の複数の所定位置における光学特性と、の予め求められた対応関係の情報を記憶する記憶手段と、
前記画面に表示される画像の代表位置を取得する取得手段と、
前記測定手段により測定された測定値と、前記対応関係の情報と、前記複数の所定位置と前記代表位置との位置関係と、に基づいて、キャリブレーションを行うキャリブレーション手段と、
を備えるキャリブレーション装置。
【請求項２】
前記測定手段により測定された測定値と、前記対応関係の情報と、前記複数の所定位置と前記代表位置との位置関係と、に基づいて、前記代表位置における光学特性を推定する推定手段を更に備え、
前記キャリブレーション手段は、前記推定手段により推定された前記代表位置における光学特性に基づいて、キャリブレーションを行う請求項１に記載のキャリブレーション装置。
【請求項３】
前記記憶手段の記憶する前記対応関係は、前記測定位置における光学特性と、前記画面を分割する複数のブロックの各々における光学特性と、の予め求められた対応関係であり、
前記推定手段は、前記測定手段により測定された測定値と、前記測定位置における光学特性と前記代表位置が属するブロックにおける光学特性との対応関係の情報と、に基づいて前記代表位置における光学特性を推定する請求項２に記載のキャリブレーション装置。
【請求項４】
前記画像表示装置は、入力される画像に対して施す画像処理のパラメータが異なる複数の表示モードで画像を表示することが可能であり、表示モード毎にキャリブレーションの対象か非対象かが予め定められており、
前記画面を構成する複数の分割領域の各々について個別に表示モードを制御する制御手段を更に備え、
前記取得手段は、前記分割領域のうちキャリブレーションの対象である表示モードで表示される分割領域の代表位置を取得し、
前記キャリブレーション手段は、前記取得手段が代表位置を取得した分割領域についてキャリブレーションを行う請求項２又は３に記載のキャリブレーション装置。
【請求項５】
前記キャリブレーション手段は、前記キャリブレーションを行う分割領域の表示モードに対応する画像処理のパラメータを補正することにより前記キャリブレーションを行う請求項４に記載のキャリブレーション装置。
【請求項６】
前記制御手段は、入力される画像の内容に応じて、画面の分割及び表示モードの制御を行う請求項４又は５に記載のキャリブレーション装置。
【請求項７】
前記制御手段は、入力される画像のうち医用画像を表示する領域とそれ以外の画像を表示する領域とで画面を分割し、医用画像の領域を医用画像に適した表示モードで表示し、それ以外の画像の領域を医用画像に適した表示モードとは異なる表示モードで表示する請求項６に記載のキャリブレーション装置。
【請求項８】
前記制御手段は、外部装置から、画面の分割及び分割領域毎の表示モードの情報を取得し、取得した情報に基づいて画面の分割及び表示モードの制御を行う請求項４又は５に記載のキャリブレーション装置。
【請求項９】
前記制御手段は、ユーザから、画面の分割及び分割領域毎の表示モードの情報の入力を受け付け、入力された情報に基づいて画面の分割及び表示モードの制御を行う請求項４又は５に記載のキャリブレーション装置。
【請求項１０】
前記キャリブレーション手段は、前記測定位置に、キャリブレーションのためのパッチ画像を、前記キャリブレーションを行う分割領域の表示モードで表示させたときに前記測定手段により測定された測定値に基づいて前記推定手段により推定された前記代表位置における光学特性に基づいてキャリブレーションを行う請求項４〜９のいずれか１項に記載のキャリブレーション装置。
【請求項１１】
分割領域による画面の分割が上下分割又は左右分割の場合、前記取得手段は、キャリブレーションの対象である表示モードで表示される分割領域の中心の位置を前記代表位置として取得する請求項４〜１０のいずれか１項に記載のキャリブレーション装置。
【請求項１２】
分割領域による画面の分割が上下分割及び左右分割のいずれでもなく、分割領域のうちにキャリブレーションの非対象である表示モードで表示される分割領域があり、その分割領域の面積が閾値以上で、かつその分割領域の中心が画面の中心又はその近傍にある場合、前記取得手段は、その分割領域の中心の位置を前記代表位置として取得する請求項４〜１０のいずれか１項に記載のキャリブレーション装置。
【請求項１３】
分割領域による画面の分割が上下分割及び左右分割のいずれでもなく、分割領域のうちにキャリブレーションの非対象である表示モードで表示される分割領域があり、その分割領域の面積が閾値より小さい場合、前記取得手段は、キャリブレーションの対象である表示モードで表示される分割領域のうち最大の矩形領域の中心の位置を前記代表位置として取得する請求項４〜１０のいずれか１項に記載のキャリブレーション装置。
【請求項１４】
前記取得手段は、前記取得した代表位置が、前記画面の輝度分布において中央部における輝度からの乖離が閾値より大きい端部近傍の領域内の位置である場合、前記端部近傍の領域内ではない位置であって前記代表位置から最も近い位置を前記代表位置とする請求項１〜１３のいずれか１項に記載のキャリブレーション装置。
【請求項１５】
前記推定手段は、前記代表位置における光学特性の測定値を取得し、当該取得した測定値と、前記測定手段により測定された前記測定位置における光学特性の測定値と、に基づいて前記対応関係の情報を更新する請求項２〜１４のいずれか１項に記載のキャリブレーション装置。
【請求項１６】
前記推定手段は、前記代表位置と前記測定位置とに同じパッチを表示させた状態で、前記測定位置における光学特性の測定値と前記代表位置における光学特性の測定値とを取得する請求項１５に記載のキャリブレーション装置。
【請求項１７】
前記推定手段は、前回、光学特性の推定を行った代表位置と、今回、光学特性の推定を行う代表位置と、が所定の範囲内に入っている場合、前記更新を行わない請求項１５又は１６に記載のキャリブレーション装置。
【請求項１８】
請求項１〜１７のいずれか１項に記載のキャリブレーション装置を備える画像表示装置。
【請求項１９】
画像表示装置の画面の測定位置における光学特性を測定する測定工程と、
前記測定位置における光学特性と、前記画面の複数の所定位置における光学特性と、の予め求められた対応関係の情報を取得する工程と、
前記画面に表示される画像の代表位置を取得する取得工程と、
前記測定工程により測定された測定値と、前記対応関係の情報と、前記複数の所定位置と前記代表位置との位置関係と、に基づいてキャリブレーションを行うキャリブレーション工程と、
を有するキャリブレーション装置の制御方法。
【請求項２０】
請求項１９に記載のキャリブレーション装置の制御方法をコンピュータに実行させるプログラムが記録された記録媒体。
【手続補正２】
【補正対象書類名】明細書
【補正対象項目名】０００７
【補正方法】変更
【補正の内容】
【０００７】
本発明は、画像表示装置の画面の測定位置における光学特性を測定する測定手段と、
前記測定位置における光学特性と、前記画面の複数の所定位置における光学特性と、の予め求められた対応関係の情報を記憶する記憶手段と、
前記画面に表示される画像の代表位置を取得する取得手段と、
前記測定手段により測定された測定値と、前記対応関係の情報と、前記複数の所定位置と前記代表位置との位置関係と、に基づいて、キャリブレーションを行うキャリブレーション手段と、
を備えるキャリブレーション装置である。
【手続補正３】
【補正対象書類名】明細書
【補正対象項目名】０００８
【補正方法】変更
【補正の内容】
【０００８】
本発明は、画像表示装置の画面の測定位置における光学特性を測定する測定工程と、
前記測定位置における光学特性と、前記画面の複数の所定位置における光学特性と、の予め求められた対応関係の情報を取得する工程と、
前記画面に表示される画像の代表位置を取得する取得工程と、
前記測定工程により測定された測定値と、前記対応関係の情報と、前記複数の所定位置と前記代表位置との位置関係と、に基づいてキャリブレーションを行うキャリブレーション工程と、
を有するキャリブレーション装置の制御方法である。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００５２
【補正方法】変更
【補正の内容】
【００５２】
なお、本実施例では液晶表示装置１１０と外付センサ１０３の接続にＵＳＢケーブル以外の信号ケーブルを用いてもよい。また、対応付け処理の際に全画面にパッチを表示したが、外付センサと前面センサの測定領域にのみパッチを表示するのでもよい。また、測定に使用するパッチの色や色数は一例であり、本実施例にて記載した色以外のパッチを表示して測定してもよい。また、本実施例にて記載した処理は実施例１のキャリブレーション処理時に実行される例を示したが、対応付け処理だけをユーザの指示により実行できるように構成してもよい。また、本実施例では対応付け処理を液晶表示装置で実施するように構成したが、対応付け処理を液晶表示装置に接続したＰＣにて実行するように構成してもよい。
【手続補正７】
【補正対象書類名】明細書
【補正対象項目名】発明の名称
【補正方法】変更
【補正の内容】
【発明の名称】キャリブレーション装置、その制御方法、画像表示装置、及び記録媒体